(57)【要約】      （修正有）【課題】両側部だけでなく中央部の掃除効率を向上でき、広い面積を效率よく掃除させるための吸引口組立体とこれを備えた真空掃除機を提供する。【解決手段】吸引口組立体２００は、上部ハウジング２１１及び下部ハウジング２２２と、前記下部ハウジングに形成された第１及び第２吸引口とを備え、前記吸引口に吸引力が均等に分配させ、前記吸引口組立体の両側壁の吸引力を向上できる。また、前記第１及び前記第２吸引口の吸引力により、外部空気が流入するように前記上部ハウジングに貫通形成された少なくとも１つの上部開口２１３と、前記上部開口から流入した空気が前記第１及び前記第２吸引口との間に案内されて前記第１及び前記第２吸引口との間に積まれたホコリを飛散させ得るように、前記上部開口と連通し、前記第１吸引口と前記第２吸引口との間に位置し、前記下部ハウジングに形成された少なくとも１つの下部開口２３５とを備える。【選択図】図２
2006015113.tif 000002
【特許請求の範囲】
【請求項１】
上部ハウジング及び下部ハウジングと；
前記下部ハウジングに形成された第１吸引口及び第２吸引口と；
前記第１吸引口及び前記第２吸引口の吸引力により外部空気が流入するように、前記上部ハウジングに貫通形成された少なくとも１つの上部開口と；
前記上部開口から流入した空気が前記第１吸引口と前記第２吸引口との間にガイドされ、前記第１吸引口と前記第２吸引口との間に積まれたホコリを飛散できるように、前記上部開口と連通され、前記第１吸引口と前記第２吸引口との間に位置し、前記下部ハウジングに形成された少なくとも１つの下部開口とを含むことを特徴とする吸引口組立体。
【請求項２】
前記第１吸引口と前記第２吸引口との間を連結させるために、前記下部ハウジングの底面と段差が生じるように前記下部ハウジングに形成されたホコリ移動チャネルをさらに含み、
前記下部開口は前記ホコリ移動チャネル上に形成されることを特徴とする請求項１に記載の吸引口組立体。
【請求項３】
前記ホコリ移動チャネルが、前記第１吸引口と連結して前記第１吸引口にホコリをガイドする第１ホコリ移動チャネルと、前記第２吸引口と連結して前記第２吸引口にホコリをガイドする第２ホコリ移動チャネルとに分離されるように、前記ホコリ移動チャネルに形成された分離リーブをさらに含み、
前記下部開口は前記第１ホコリ移動チャネルと前記第２ホコリ移動チャネルに各々形成されることを特徴とする請求項２に記載の吸引口組立体。
【請求項４】
前記第１吸引口及び前記第２吸引口と各々連通され、前記第１吸引口及び前記第２吸引口から吸引された空気が誘導されるように、前記上部ハウジング及び前記下部ハウジングに形成された第１流路及び第２流路をさらに含むことを特徴とする請求項１に記載の吸引口組立体。
【請求項５】
前記上部ハウジングは、
前記第１流路及び前記第２流路の上部を形成し、前記下部ハウジングに結合される流路カバーと;
前記流路カバーの上部に位置し、前記下部ハウジングと結合する上部蓋とを含むことを特徴とする請求項４に記載の吸引口組立体。
【請求項６】
前記流路カバーは、前記第１流路及び前記第２流路を外部で観察できるように、透明な材質で形成されることを特徴とする請求項５に記載の吸引口組立体。
【請求項７】
真空源を内蔵する掃除機本体と；
前記真空源と空気が流通可能に前記掃除機本体に連結する延長流路と；
前記延長流路に連結しており、被掃除面のゴミを吸引する吸引口組立体とを含み、
前記吸引口組立体は、上部ハウジング及び下部ハウジングと、前記下部ハウジングに形成された第１吸引口及び第２吸引口と、前記第１吸引口及び前記第２吸引口の吸引力により外部空気が流入するように、前記上部ハウジングに貫通形成された少なくとも１つの上部開口と、前記上部開口から流入した空気が前記第１吸引口と第２吸引口との間にガイドされ、前記第１吸引口と前記第２吸引口との間に積まれたホコリを飛散できるように、前記上部開口と連通され、前記第１吸引口と前記第２吸引口との間に位置するように、前記下部ハウジングに形成された少なくとも１つの下部開口とを含むことを特徴とする真空掃除機。
【請求項８】
前記第１吸引口と前記第２吸引口との間を連結させるために、前記下部ハウジングの底面と段差が生じるように前記下部ハウジングに形成されたホコリ移動チャネルをさらに含み、
前記下部開口は前記ホコリ移動チャネル上に形成されることを特徴とする請求項７に記載の真空掃除機。
【請求項９】
前記上部ハウジングは、
前記第１流路及び前記第２流路の上部を形成し、前記下部ハウジングに結合される流路カバーと；
前記流路カバーの上部に位置し、前記下部ハウジングと結合する上部蓋とを含むことを特徴とする請求項７に記載の真空掃除機。
【発明の詳細な説明】
【技術分野】
【０００１】
本発明は真空掃除機に関し、より詳しくは、被掃除面のゴミが吸引される真空掃除機の吸引口組立体に関する。
【背景技術】
【０００２】
通常、真空掃除機は、本体に内蔵された真空源の駆動により発生する吸引力を利用して被掃除面のゴミを吸引する装置である。
【０００３】
このような真空掃除機は、真空力を発生させるモータが内蔵された真空掃除機本体と、被掃除面と向き合ってゴミを吸引する吸引口組立体と、前記吸引口組立体で吸引したゴミを前記真空掃除機本体にガイドする延長流路とを含む。前記延長流路は、前記吸引口組立体に流動可能に結合される延長管コネクタと、前記延長管コネクタと連結している延長管と、前記延長管と連通する吸引ホースとを含む。
【０００４】
図１は一般の吸引口組立体の底面の概略斜視図である。吸引口組立体は上部ハウジング１０と下部ハウジング１１を含み、下部ハウジング１１には被掃除面からゴミが吸引される吸引口１４が形成される。また、下部ハウジング１１には吸引口１４の両側部に側部ホコリ移動チャネル1２が形成され、このような側部ホコリ移動チャネル1２を通じて吸引口組立体の側部のホコリが吸引口１４を経て真空源発生部に吸引される。
【０００５】
しかしながら、前記吸引口組立体はホコリを吸引できるように真空力が伝達される１個の流路を備える。従って、吸引口１４の中央部Ｃは吸引力が強いが、両側面Ｓに行くほど吸引力は低くなる。これにより、吸引口１４の中央部Ｃの掃除効率は良いが、吸引口１４の両側部Ｓの掃除効率は低下する。従って、広い面積の被掃除面を掃除するのには非効率的である。このような理由から、吸引口を吸引口組立体の両側部に形成することにより、広い面積の被掃除面を效率よく掃除しようとしているが、吸引口組立体の中央部の掃除効率は低下するという問題点がある。
【発明の開示】
【発明が解決しようとする課題】
【０００６】
本発明は前記問題点を解決するためになされたもので、その目的は、両側部だけでなく中央部の掃除効率を向上できるように改善した吸引口組立体とこれを備えた真空掃除機を提供することにある。
【課題を解決するための手段】
【０００７】
前記目的を達成するために、本発明に係る吸引口組立体は、上部ハウジング及び下部ハウジングと、前記下部ハウジングに形成された第１吸引口及び第２吸引口とを備え、前記吸引口に吸引力が均等に分配されるようにして、前記吸引口組立体の両側部の吸引力を向上できる。また、前記吸引口組立体は、前記第１吸引口及び前記第２吸引口の吸引力により外部空気が流入するように、前記上部ハウジングに貫通形成された少なくとも１つの上部開口と、前記上部開口から流入した空気が前記第１吸引口と前記第２吸引口との間にガイドされて、前記第１吸引口と前記第２吸引口との間に積まれたホコリを飛散できるように、前記上部開口と連通され、前記第１吸引口と前記第２吸引口との間に位置し、前記下部ハウジングに形成された少なくとも１つの下部開口とを備えることにより、前記吸引口組立体の中央部の掃除効率を向上できる。結局、このような構造から、吸引口組立体の両側部だけでなく中央部の掃除効率を向上させて広い面積を効率よく掃除できる。
【０００８】
本発明の実施例に係る吸引口組立体は、上部及び下部ハウジングと、前記下部ハウジングに形成された第１吸引口及び第２吸引口とを備える。また、前記下部ハウジングには前記第１吸引口及び前記第２吸引口と各々連結している第１ホコリ移動チャネルと第２ホコリ移動チャネルが形成され、前記第１ホコリ移動チャネル及び前記第２ホコリ移動チャネルの各々には下部開口が形成される。また、前記下部開口と連通するように、前記上部ハウジングには上部開口が形成される。
【０００９】
このような構造から、前記吸引口から伝達される吸引力により前記上部開口に外部空気が流入し、流入した空気は前記下部開口を通過して吸引口組立体の中央部のホコリを飛散させる。このように飛散されたホコリは、前記第１及び第２ホコリ移動チャネルに沿って、前記第１及び第２吸引口に吸引される。これにより、吸引口組立体の両部部だけでなく中央部のホコリを效率よく掃除できる。
【００１０】
また、前記吸引口に吸引されたホコリは、前記上部及び下部ハウジングに形成された第１流路及び第２流路にガイドされて掃除機本体に移動する。このとき、前記第１流路及び第２流路の上部を形成する流路カバーは、透明な材質で形成されて前記吸引された空気の流動を外部で観察できるこれにより、ゴミがかかった場合、真空掃除機の全体の流路を確認する煩わしさを低減できる。
【発明を実施するための最良の形態】
【００１１】
以下、添付図面を参照して本発明の望ましい実施例を具体的に説明する。
【実施例１】
【００１２】
図２は本発明の実施例に係る真空掃除機の吸引口組立体の概略分解斜視図、図３は本発明の実施例に係る吸引口組立体の底面の斜視図である。
【００１３】
図２及び図３を参照するに、本発明の実施例に係る吸引口組立体２００は、吸引口組立体２００の上部を形成する上部ハウジング２１１と、下部を形成する下部ハウジング２２２とを含む。また、上部ハウジング２１１は、下部ハウジング２２２に結合される流路カバー２５０と、流路カバー２５０の上部に位置し、下部ハウジング２２２と結合される上部蓋２１２とを含む。
【００１４】
上部蓋２１２には外部の空気が流入されるように２個の上部開口２１３が貫通形成される。また、上部蓋２１２には流路カバー２５０が吸引口組立体２００の外部に露出するように、流路カバー２５０の形状と対応する形状で切開した切開部２１４が形成され、このような切開部２１４を通して流路カバー２５０は外部に突出して露出する。本実施例では上部開口２１３がスリット形態で２個形成されているが、このような形状の以外にも複数個の孔が貫通形成されることができ、上部開口に遮蔽部材を設置して空気流入時にのみ開放されるように構成されることができる。
【００１５】
下部ハウジング２２２の底面には底面と段差が生じるようにホコリ移動チャネル２４０が形成される。このようなホコリ移動チャネル２４０は、下部ハウジング２２２の底面に形成された分離リーブ２４６により、第１吸引口２２６と連結している第１ホコリ移動チャネル２４２と、第２吸引口２２８と連結している第２ホコリ移動チャネル２４４とに分離される。そして、２個の下部開口２３５は、分離リーブ２４６に近接して第１ホコリ移動チャネル２４２と第２ホコリ移動チャネル２４４に各々形成される。この下部開口２３５は長方形の形状を持っているが、この他にも楕円形、三角形等多様な変形が可能である。そして、下部開口２３５の形成位置も第１吸引口２２６と第２吸引口２２８の位置及び形状によって多様に変更できる。前記のような構造により、上部開口２１３に流入した外部空気が下部開口２３５を通して下部ハウジング２２２の底面に誘導される。このように誘導された外部空気は、第１吸引口２２６と第２吸引口２２８との間に積まれたホコリを飛散させ、飛散されたホコリは第１ホコリ移動チャネル２４２と第２ホコリ移動チャネル２４４に沿って第１吸引口２２６及び第２吸引口２２８に吸引される。このような原理から、吸引口組立体２００の両側部Ｓを效率よく掃除でき、かつ、中央部Ｃの掃除効率も向上でき、広い面積の被掃除面を效率よく掃除できる。図３の矢印は、上部開口２１３に吸引された空気が下部開口２３５を通して第１及び第２吸引口２２６、２２８に流入する経路を示す。また、下部ハウジング２２２の底面の前方及び後方には所定間隔をおいて離隔して各々２対の輪２３９が装着される。
【００１６】
そして、下部ハウジング２２２には第１及び第２吸引口２２６、２２８と連通する第１及び第２流路２３０、２３２が形成される。この第１及び第２流路２３０、２３２は下部ハウジング２２２により底面が形成され、流路カバー２５０が上部を形成することで作られる空間である。上部開口２１３及び下部開口２３５を通して流入した空気が飛散させたホコリは第１及び第２吸引口２２６、２２８を通して第１及び第２流路２３０、２３２にガイドされて、真空掃除機本体１００(図４参照)に移動する。そして、下部ハウジング２２２の後段部には延長管コネクタ１１６の関節部１１８の下側が回動可能に結合されるように下側延長管コネクタ装着部２２４が形成され、流路カバー２５０が装着されるように流路カバー装着部２３４が形成される。
【００１７】
流路カバー２５０は、吸引された空気の流動方向と垂直な断面がアーチ形状を持ち、外部から吸引されたゴミの流動を観察して、ゴミがかかる現像を確認できるように透明な材質で形成される。また、流路カバー２５０の枠に沿ってフランジ部２５８が形成され、このフランジ部２５８は上部蓋２1２が下部ハウジング２２２に結合される時、上部蓋２1２により加圧される。
【００１８】
本発明の実施例に係る組立方法を説明する。まず、延長管コネクタ１１６の関節部１１８を下部ハウジング２２２の後段部に形成された下側延長管コネクタ装着部２２４に挿入し、流路カバー２５０を下部ハウジング２２２に形成された流路カバー装着部２３４に安着させる。そして、流路カバー２５０を下部ハウジング２２２に安着させることにより、延長管コネクタ１１６の関節部１１８は上下側延長管コネクタ装着部２２４、２６４に回動可能に装着される。次に、上部蓋２１２が下部ハウジング２２２及び流路カバー２５０の上段を覆う。そして、上部蓋２１２と下部ハウジング２２２に形成された複数個の締結孔２３８を介して、スクリューのような締結部材２３６にて結合することにより、吸引口組立体は完成される。このとき、上部蓋２１２は流路カバー２５０に形成されたフランジ部２５８を加圧して、流路カバー２５０と下部ハウジング２２２が機密を維持しながら結合できるようにする。
【００１９】
図４は本発明の実施例に係る真空掃除機の概略斜視図である。本発明の実施例に係る真空掃除機は、真空源が内蔵された真空掃除機本体１００と、前記真空源から発生した真空力により被掃除面のゴミを吸引する吸引口組立体２００と、吸引口組立体２００と連結しており、吸引口組立体２００から吸引されたゴミを真空掃除機本体１００にガイドする延長流路１１０とを含む。延長流路１１０は、吸引口組立体２００に回動可能に連結している関節部１１８を備えた延長管コネクタ１１６と、延長管コネクタ１１６に連結している延長管１１４と、一端は延長管１１４に連結しており、他端は掃除機本体１００に連結している吸引ホース１１２とを含む。
【００２０】
図５は本発明の実施例に係る動作を説明するための吸引口組立体の正面図である。
【００２１】
以下、図４及び図５を参照して、本発明の実施例に係る動作を説明する。
【００２２】
真空掃除機本体１００に内蔵された真空源から発生した吸引力は、吸引ホース１1２、延長管１１４及び延長管コネクタ１１６を通して吸引口組立体２００に伝達される。吸引口組立体２００に伝達された吸引力は、第１流路２３０及び第２流路２３２を通して第１吸引口２２６及び第２吸引口２２８に伝達される。このような経路に伝達された吸引力により、第１及び第２吸引口２２６、２２８は被掃除面のゴミを吸引できるようになる。また、第１及び第２吸引口２２６、２２８に伝達された吸引力は、第１ホコリ移動チャネル２４２(図３参照)及び第２ホコリ移動チャネル２４４(図３参照)に沿って下部開口２３５に伝達される。下部開口２３５に伝達された吸引力は、上部蓋２1２と下部ハウジング２２２の結合により形成された内部の密閉空間を通して上部開口２１３に伝達される。このように伝達された吸引力により、外部の空気は上部開口２１３を通して流入される。上部開口２１３を通して流入した空気は、上部蓋２１２と下部ハウジング２２２の結合により形成された内部の密閉空間を過ぎて下部開口２３５を通過する。下部開口２３５を通過した空気は、被掃除面の底面と衝突しながら第１吸引口２２６と第２吸引口２２８との間に積まれたホコリを飛散させる。このように飛散したホコリは第１吸引口２２６と第２吸引口２２８の吸引力により、第１ホコリ移動チャネル２４２(図３参照)と第２ホコリ移動チャネル２４４(図３参照)を通じて、第１吸引口２２６と第２吸引口２２８で各々吸引される。第１吸引口２２６及び第２吸引口２２８から吸引されたホコリは、第１流路２３０及び第２流路２３２に各々案内された後、延長管コネクタ１１６、延長管１１４及び吸引ホース１１２を経て真空掃除機本体１００に移動する。
【産業上の利用可能性】
【００２３】
本発明は真空掃除機に関し、より詳しくは、被掃除面のゴミが吸引される真空掃除機の吸引口組立体に関する。本発明に係る吸引口組立体は、キャニスター型真空掃除機、アップライト型真空掃除機、さらには吸引口組立体を備える全ての真空掃除機に適用できる。
【図面の簡単な説明】
【００２４】
【図１】一般の吸引口組立体の底面を示す斜視図である。
【図２】本発明の実施例に係る吸引口組立体の分解斜視図である。
【図３】本発明の実施例に係る吸引口組立体の底面を示す斜視図である。
【図４】本発明の実施例に係る真空掃除機の概略斜視図である。
【図５】本発明の実施例に係る吸引口組立体の動作を説明するための正面斜視図である。
【符号の説明】
【００２５】
１００  掃除機本体
１１０  延長流路
１１２  吸引ホース
１１４  延長管
１１６  延長管コネクタ
２００  吸引口組立体
２１１  上部ハウジング
２１２  上部蓋
２１４  切開部
２１３  上部開口
２２２  下部ハウジング
２２６、２２８  第１及び第２吸引口
２３０、２３２  第１及び第２流路
２３５  下部開口
２３４  流路カバー装着部
２４０  ホコリ移動チャネル
２４２、２４４  第１及び第２ホコリ移動チャネル
２４６  分離リーブ
２５０  流路カバー
２５８  フランジ部
【図１】
2006015113.tif 000003
【図２】
2006015113.tif 000004
【図３】
2006015113.tif 000005
【図４】
2006015113.tif 000006
【図５】
2006015113.tif 000007